(57)【要約】【課題】解析に伴う関連した各種情報を、解析モデル、あるいはその結果と共に、容易に保存および読み出しすることができる解析情報管理装置を提供すること。【解決手段】解析モデルの少なくとも一部および／または前記解析モデルの解析結果である主データが保存される第１保存手段２ａ，２０ａ〜，２００ａ〜，２００ａ１〜と、前記第１保存手段に保存された主データに関連する情報であるコメントデータが保存される第２保存手段４ａ，４０ａ〜，４００ａ〜，４００ａ１〜と、を有する解析情報管理装置。【選択図】図１
2009140180.tif 000002
【特許請求の範囲】
【請求項１】
解析モデルの少なくとも一部および／または前記解析モデルの解析結果である主データが保存される第１保存手段と、
前記第１保存手段に保存された主データに関連する情報であるコメントデータが保存される第２保存手段と、を有する解析情報管理装置。
【請求項２】
前記第１保存手段および前記第２保存手段に保存してあるデータを表示する表示画面をさらに有する請求項１に記載の解析情報管理装置。
【請求項３】
前記第１保存手段に保存してある主データを読み出すための主データ表示フォルダを示す図または文字を、階層ツリー状に前記表示画面に表示する表示画面制御手段をさらに有する請求項２に記載の解析情報管理装置。
【請求項４】
前記第２保存手段に保存される前記コメントデータを書き込むため、および／または読み出すためのコメント表示フォルダを示す図または文字が、対応する前記主データ表示フォルダの下の階層を示す位置に表示される請求項３に記載の解析情報管理装置。
【請求項５】
前記コメント表示フォルダが選択された場合に、前記表示画面には、前記第２保存手段にコメントデータを保存するためのソフトウェアまたはファイル形式を選択するためのウィンドウ画面が表示される請求項４に記載の解析情報管理装置。
【請求項６】
前記第１保存手段に保存される主データと、前記第２保存手段に保存されるコメントデータとは、異なるソフトウェアまたはファイル形式で保存される請求項１〜５のいずれかに記載の解析情報管理装置。
【請求項７】
解析モデルの少なくとも一部および／または前記解析モデルの解析結果である主データを保存する第１保存ステップと、
前記第１保存手段に保存された主データに関連する情報であるコメントデータを保存する第２保存ステップと、を有する解析情報管理方法をコンピュータに実行させるための解析情報管理プログラム。
【請求項８】
前記第１保存手段および前記第２保存手段に保存してあるデータを表示する表示ステップをさらに有する請求項７に記載の解析情報管理プログラム。
【請求項９】
前記第１保存ステップで保存された主データを読み出すための主データ表示フォルダを示す図または文字を、階層ツリー状に前記表示画面に表示するステップをさらに有する請求項８に記載の解析情報管理プログラム。
【請求項１０】
前記第２保存手段に保存される前記コメントデータを書き込むため、および／または読み出すためのコメント表示フォルダを示す図または文字を、対応する前記主データ表示フォルダの下の階層を示す位置に表示するステップをさらに有する請求項９に記載の解析情報管理プログラム。
【請求項１１】
前記コメント表示フォルダが選択された場合に、前記表示画面には、前記第２保存手段にコメントデータを保存するためのソフトウェアまたはファイル形式を選択するためのウィンドウ画面を表示するステップをさらに有する請求項１０に記載の解析情報管理プログラム。
【請求項１２】
前記第１保存手段に保存される主データと、前記第２保存手段に保存されるコメントデータとを、異なるソフトウェアまたはファイル形式で保存する請求項７〜１１いずれかに記載の解析情報管理プログラム。
【発明の詳細な説明】
【技術分野】
【０００１】
本発明は、解析情報管理装置および解析情報管理プログラムに関する。
【背景技術】
【０００２】
２次元または３次元のＣＡＤシステムを用いて、様々な構成物の設計が行われている。このような構成物は、多数の部品の複合体である場合がほとんどであり、これら構成物の設計に際しては、それを構成する部品ごとに設計を進めていくのが一般的である。
【０００３】
また、構成物や部品の設計に際しては、その形状の設計と並行して、または形状の設計後において、構成物および部品の動的性能の予測、検証や、設計案の評価、検証などのために機構解析が行われる。機構解析では、例えば部品の所定部位に作用する力の大きさ、方向、トルク、位置、速度、加速度等を計算する。
【０００４】
部品の形状情報等を基に、各部品を組み合わせた構成物の構造を解析する従来技術としては、例えば特許文献１に記載されているものがある。このような従来技術では、まず、各部品ごとに機構解析モデルを作製する。その後、当該モデルを合体させて所望の構成物に係る機構解析モデル（機構解析アセンブリモデル）を作製し、当該アセンブリモデルにより機構解析演算を行う。
【０００５】
このような従来の機構解析装置では、解析に伴う背景、経緯、目的、あるいは関連する３Ｄモデルの在処や結果の考察等の関連する各種情報は、解析モデルおよび結果のファイルとは別に作成し、管理する必要があった。そのため、解析プログラムを実行して画面に表示している最中において、その解析に伴う各種関連情報を記録または読み出しするためには、解析プログラムとは別のプログラムを立ち上げ、自分で選択したファイル名で保存したり、読み出したりする必要があった。
【０００６】
そのため、その解析に伴う各種関連情報を記録するためには、ファイル名を考える手間が掛かり、解析に伴う目的とする関連情報を読み出したい場合には、目的とする関連情報を検索するために時間が掛かるなどの問題があった。
【特許文献１】特開平６−１０３３４５号公報
【発明の開示】
【発明が解決しようとする課題】
【０００７】
本発明は、このような実状に鑑みてなされ、その目的は、解析に伴う関連した各種情報を、解析モデル、あるいはその結果と共に、容易に保存および読み出しすることができる解析情報管理装置を提供することである。
【課題を解決するための手段】
【０００８】
上記目的を達成するために、本発明に係る解析情報管理装置は、
解析モデルの少なくとも一部および／または前記解析モデルの解析結果である主データが保存される第１保存手段（２ａ，２０ａ〜，２００ａ〜，２００ａ１〜）と、
前記第１保存手段（２ａ，２０ａ〜，２００ａ〜，２００ａ１〜）に保存された主データに関連する情報であるコメントデータが保存される第２保存手段（４ａ，４０ａ〜，４００ａ〜，４００ａ１〜）と、を有することを特徴とする。
【０００９】
本発明に係る解析情報管理プログラムは、
解析モデルの少なくとも一部および／または前記解析モデルの解析結果である主データを保存する第１保存ステップ（Ｓ７）と、
前記第１保存手段（２ａ，２０ａ〜，２００ａ〜，２００ａ１〜）に保存された主データに関連する情報であるコメントデータを保存する第２保存ステップ（Ｓ５）と、を有する解析情報管理方法をコンピュータに実行させることを特徴とする。
【００１０】
本発明に係る解析情報管理装置では、第１保存手段（２ａ，２０ａ〜，２００ａ〜，２００ａ１〜）に保存してある解析モデルの少なくとも一部および／または前記解析モデルの解析結果である主データを表示する画面（１０，１０ａ〜１０ｈ）において、第２保存手段（４ａ，４０ａ〜，４００ａ〜，４００ａ１〜）へのコメントデータの保存および読み出しができる。そのため、解析に伴う関連した各種情報（コメントデータ）を、解析モデル、あるいはその結果と共に、容易に保存および読み出しすることができる。したがって、解析情報管理プログラムを実行中に、その解析モデルや解析結果に関連するコメントデータに容易にアクセス可能になり、解析業務の背景知識などのコメントデータを容易に取得して、解析作業の効率が向上する。
【００１１】
好ましくは、前記第１保存手段（２ａ，２０ａ〜，２００ａ〜，２００ａ１〜）および前記第２保存手段（４ａ，４０ａ〜，４００ａ〜，４００ａ１〜）に保存してあるデータを表示する表示画面（１０，１０ａ〜１０ｈ）をさらに有する。
【００１２】
好ましくは、前記第１保存手段（２ａ，２０ａ〜，２００ａ〜，２００ａ１〜）に保存してある主データを読み出すための主データ表示フォルダを示す図または文字（２ａ’，２０ａ’〜，２００ａ’〜，２００ａ１’〜）を、階層ツリー状に前記表示画面に表示する表示画面制御手段（６）をさらに有する。
【００１３】
好ましくは、前記第２保存手段（４ａ，４０ａ〜，４００ａ〜，４００ａ１〜）に保存される前記コメントデータを書き込むため、および／または読み出すためのコメント表示フォルダを示す図または文字（４ａ’，４０ａ’〜，４００ａ’〜，４００ａ１’〜）が、対応する前記主データ表示フォルダの下の階層を示す位置に表示される。
【００１４】
好ましくは、前記コメント表示フォルダが選択された場合に、前記表示画面には、前記第２保存手段（４ａ，４０ａ〜，４００ａ〜，４００ａ１〜）にコメントデータを保存するためのソフトウェアまたはファイル形式を選択するためのウィンドウ画面（１０ｄ、１０ｇ）が表示される。
【００１５】
好ましくは、前記第１保存手段（２ａ，２０ａ〜，２００ａ〜，２００ａ１〜）に保存される主データと、前記第２保存手段（４ａ，４０ａ〜，４００ａ〜，４００ａ１〜）に保存されるコメントデータとは、異なるソフトウェアまたはファイル形式で保存される。
【００１６】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００１７】
以下、本発明を、図面に示す実施形態に基づき説明する。
図１は本発明の一実施形態に係る解析情報管理装置のブロック図、
図２は図１に示す解析情報管理装置のフローチャート図、
図３は表示画面の一例を示す図、
図４は図１に示す解析情報管理装置の第２保存手段に保存されているコメントデータの一例を示すグラフ、
図５はコメントデータの他の一例を示す図である。
【００１８】
図１に示すように、本発明の一実施形態に係る解析情報管理装置は、解析すべき解析モデルに関する情報が記憶してあるメモリ２と、メモリ２の内容を読み出して解析処理などの演算処理を行う処理部６と、処理部６を介してメモリ２にデータなどを入力する入力部８と、メモリ２に記憶された内容を表示する表示部１０とを有する。
【００１９】
入力部８としては、特に限定されず、キーボード、タッチパネル、マウスなどが含まれる。表示部１０としては、特に限定されず、ＣＲＴ、平面表示装置などが例示される。平面表示装置としては、液晶表示装置、プラズマ表示装置、有機ＥＬ表示装置などが例示される。処理部６は、たとえばＣＰＵなどで構成される。
【００２０】
メモリ２は、解析モデルの少なくとも一部および／または解析モデルの解析結果である主データが保存される第１フォルダ２ａ〜，２０ａ〜，２００ａ〜，２００ａ１〜と、第１フォルダに保存された主データに関連する情報であるコメントデータが保存される第２フォルダ４ａ〜，４０ａ〜，４００ａ〜，４００ａ１〜と、を有する。第１フォルダ２ａ〜，２０ａ〜，２００ａ〜，２００ａ１〜には、通常の解析モデルのソフトウェアプログラムによるファイル形式でデータが保存される。また、第２フォルダ４ａ〜，４０ａ〜，４００ａ〜，４００ａ１〜には、通常の解析モデルのソフトウェアプログラムとは異なる市販のソフトウェアプログラムによるファイル形式でデータが保存される。
【００２１】
図２に示すステップＳ１にて、本実施形態の解析情報管理装置のプログラムがスタートすると、たとえば図１に示す表示部１０の画面には、処理部６の働きにより、図３に示すように、第１ウィンドウ画面１０ａに、アイコン２ａ’〜，２０ａ’〜，２００ａ’〜，２００ａ１’〜が、階層ツリー状に表示される。これらのアイコン２ａ’〜，２０ａ’〜，２００ａ’〜，２００ａ１’〜は、図１に示すメモリ２における第１フォルダ２ａ〜，２０ａ〜，２００ａ〜，２００ａ１〜に対応する。なお、これらのアイコン２ａ’〜，２０ａ’〜，２００ａ’〜，２００ａ１’〜の具体的な構成は、特に限定されず、文字のみ、あるいは他の図形であっても良い。
【００２２】
図３に示す第１ウィンドウ画面１０ａにおいては、複数のモデルが選択可能になっており、図３では、複数のモデルのうちの一つのモデルＩを示すアイコン２ａ’のみが表示されている。複数のモデルのうちの一つのモデルＩを示すアイコン２ａ’をマウスなどの入力部８（図１参照）で左クリック選択（以下、単に選択とも言う）することにより、図３に示すように、画面における第２ウィンドウ画面１０ｂには、アイコン２ａ’に対応するモデルＩの具体的な部品が立体的に表示される。
【００２３】
次に、ステップＳ２では、図１に示す処理部６が、入力部８からの入力を待ち、図３に示すアイコン２ａ’をマウスなどの入力部８（図１参照）で右クリック選択（以下、単に選択とも言う）することにより、図１に示す処理部６の作用により、図３に示す第３ウィンドウ画面１０ｃが表示される。この第３ウィンドウ画面１０ｃには、解析１〜６とコメントとが表示される。
【００２４】
図１に示す入力部８からのデータに基づき、処理部６は、図２に示すステップＳ３において、図３に示す第３ウィンドウ画面１０ｃにおいて、コメントが選択されたか否かを判断し、コメントが選択された場合には、ステップＳ４の動作を行う。ステップＳ４では、図１に示す処理部６が表示部１０を操作し、図３に示すように、第４ウィンドウ画面１０ｄを開く。
【００２５】
第４ウィンドウ画面１０ｄには、異なるファイル形式のソフトウェアプログラムを選択することができる画面が表示され、図１に示す第２フォルダ４ａに記憶すべきファイル形式を選択することができるようになっている。ファイル形式としては、特に限定されず、単なる文字のみを保存および読み出しするメモ帳ファイル、表やグラフなどを保存および読み出しする表計算ファイル、文字や図形などをスライド式に表示するスライドファイルなどが例示される。あるいは、それらのファイル形式で保存および読出しをするためのソフトウエア名が例示されてもよい。
【００２６】
図２に示すステップＳ４にて、異なるファイル形式のソフトウェアプログラムとして、たとえば表計算ソフトが選択された場合においては、表計算ソフトのプログラムが起動され、たとえば図４に示すグラフを作成することができる。この図４に示すデータは、図３に示すアイコン２ａ’に対応する図１に示す第１フォルダ２ａに記憶してあるモデルＩに関連するデータであり、図１に示すように、第１フォルダ２ａの直下の階層に第２フォルダ４ａが形成され、そこに保存される（図２に示すステップＳ５）。
【００２７】
なお、第１フォルダ２ａの直下の階層に第２フォルダ４ａを最初に形成する場合には、図３に示す第５ウィンドウ画面１０ｅに示すように、図１に示す第２フォルダ４ａに対応するアイコン４ａ’が、アイコン２ａ’とアイコン２０ａ’との間に、新たに形成される。次回以降の表示では、そのアイコン４ａ’が、図３における第１ウィンドウ画面１０ａにも反映して表示されることになる。
【００２８】
また、図３に示すアイコン４ａ’をマウスなどで左クリック選択することで、図４に示すデータを再度表示させることもできる。図４に示すデータは、たとえば図１に示す第１フォルダ２ａの下の階層における第１フォルダ２０ａ〜に記憶してあるデータを総合的に把握しているデータなどであっても良い。
【００２９】
図２に示すステップＳ３にて、図１に示す処理部６が、入力部８からの入力が、コメント以外のデータであると判断した場合には、たとえばステップＳ６〜ステップＳ９に示す通常の解析情報動作を行い、ステップＳ１に戻る。ステップＳ６では、図３に示す第３ウィンドウ画面１０ｃにおいて、図１に示す処理部６は、入力部８からの信号に基づき、いずれの解析１〜５が選択されたかを判断する。
【００３０】
解析１〜５は、図３に示す第１フォルダ２０ａ’，２０ｂ’〜に対応し、たとえば解析１に対応する第１フォルダ２０ａ’が、マウスの右クリックで選択された場合には、図３に示すように、たとえば第６ウィンドウ画面が開き、解析モデルにおける部品の種類、荷重／拘束、接触、要素、解析結果などに関する条件の表示が行われる。それらのいずれかを選択した場合には、これらのいずれかに関するデータの入力または表示が可能になる（図２に示すステップＳ７）。
【００３１】
解析モデルにおける部品の種類、荷重／拘束、接触、要素、解析結果などに関する条件のデータは、図１に示す第１フォルダ２０ａ〜の下の階層に位置する第１フォルダ２００ａ〜，２００ａ１〜に記憶してある。これらの第１フォルダ２００ａ〜，２００ａ１〜に記憶してあるデータの表示または書き込みは、図３に示す第１ウィンドウ画面１０ａのアイコン２００ａ〜，２００ａ１〜を選択することで行うことができる。あるいは、第６ウィンドウ画面１０ｆから、部品の種類、荷重／拘束、接触、要素、解析結果などに関する項目を選択することでも、図１に示す第１フォルダ２００ａ〜，２００ａ１〜に記憶してあるデータの表示または書き込みを行うことができる。
【００３２】
たとえば第６ウィンドウ画面１０ｆにおいて、操作者が、解析結果演算の項目を選択することで、図１に示す処理部６は、その情報を入力部８から検出し、図２に示すステップＳ８に移り、解析結果演算処理を行い、ステップＳ９では、その結果を図１に示す表示部１０に表示する。あるいは、図示省力してある印刷手段に解析結果を出力して、印刷することもできる。演算結果は、たとえば図１に示す第１フォルダ２００ｅの下の階層に位置するいずれかの第１フォルダ２００ｅ１〜に保存される。
【００３３】
これらの第１フォルダ２００ｅ１〜に保存してあるデータを図１に示す表示部１０に表示させるには、第１フォルダ２００ｅ１〜に対応する図３に示すアイコン２００ｅ１’〜をマウスなどで選択すればよい。
【００３４】
図３に示す第６ウィンドウ画面１０ｆにおいても、コメントの項目が表示され、そのコメントの項目が選択された場合には、図２に示すステップＳ３からステップＳ４の動作を行う。ステップＳ４では、図１に示す処理部６が表示部１０を操作し、図３に示すように、第７ウィンドウ画面１０ｇを開く。
【００３５】
第７ウィンドウ画面１０ｇには、ファイル形式を選択することができる画面が表示され、図１に示す第２フォルダ４０ａに記憶すべきファイル形式を選択することができるようになっている。ファイル形式としては、図３に示す第４ウィンドウ画面１０ｄの場合と同様である。
【００３６】
図２に示すステップＳ４にて、ファイル形式として、たとえばメモ帳が選択された場合においては、メモ帳ソフトのプログラムが起動され、たとえば図５に示す文字データを作成することができる。この図５に示すデータは、図３に示すアイコン２０ａ’に対応する図１に示す第１フォルダ２０ａに記憶してある解析１に関連するデータであり、図１に示すように、第１フォルダ２０ａの直下の階層に第２フォルダ４０ａが形成され、そこに保存される（図２に示すステップＳ５）。
【００３７】
なお、第１フォルダ２０ａの直下の階層に第２フォルダ４０ａを最初に形成する場合には、図３に示す第８ウィンドウ画面１０ｈに示すように、図１に示す第２フォルダ４０ａに対応するアイコン４０ａ’が、アイコン２０ａ’の直下の階層に、新たに形成される。次回以降の表示では、そのアイコン４０ａ’が、図３における第１ウィンドウ画面１０ａにも反映して表示されることになる。
【００３８】
また、図３に示すアイコン４０ａ’をマウスなどで選択することで、図５に示すデータを再度表示させることもできる。図５に示すデータは、たとえば図１に示す第１フォルダ２０ａの下の階層における第１フォルダ２００ａ〜に記憶してあるデータを総合的に把握しているデータなどであっても良い。
【００３９】
図１に示す第１フォルダ２００ａ〜のさらに下の階層に位置する第１フォルダ２００ａ１〜に関しても、上記と同様にして、第２フォルダ４００ａ１〜を作成することができる。
【００４０】
本実施形態に係る解析情報管理装置では、第１フォルダ２ａ〜，２０ａ〜，２００ａ〜，２００ａ１〜に保存してある解析モデルの少なくとも一部および／または解析モデルの解析結果である主データを表示する画面１０ａ〜１０ｈにおいて、第２フォルダ４ａ〜，４０ａ〜，４００ａ〜，４００ａ１〜へのコメントデータの保存および読み出しができる。そのため、解析に伴う関連した各種情報（コメントデータ）を、解析モデル、あるいはその結果と共に、容易に保存および読み出しすることができる。したがって、解析情報管理プログラムを実行中に、その解析モデルや解析結果に関連するコメントデータに容易にアクセス可能になり、解析業務の背景知識などのコメントデータを容易に取得して、解析作業の効率が向上する。
【００４１】
なお、本発明は、上述した実施形態に限定されるものではなく、種々に改変することができる。たとえば、第１フォルダ２ａ〜，２０ａ〜，２００ａ〜，２００ａ１〜に保存されるデータとしては、図示する例に限定されない。
【図面の簡単な説明】
【００４２】
【図１】図１は本発明の一実施形態に係る解析情報管理装置のブロック図である。
【図２】図２は図１に示す解析情報管理装置のフローチャート図である。
【図３】図３は表示画面の一例を示す図である。
【図４】図４は図１に示す解析情報管理装置の第２保存手段に保存されているコメントデータの一例を示すグラフである。
【図５】図５はコメントデータの他の一例を示す図である。
【符号の説明】
【００４３】
２…  メモリ
２ａ，２０ａ〜，２００ａ〜，２００ａ１〜…  第１フォルダ
４ａ，４０ａ〜，４００ａ〜，４００ａ１〜…  第２フォルダ
２ａ’，２０ａ’〜，２００ａ’〜，２００ａ１’〜…アイコン
４ａ’，４０ａ’〜，４００ａ’〜，４００ａ１’〜…  アイコン
６…  処理部
８…  入力部
１０…  表示部
１０ａ〜１０ｈ…  ウィンドウ画面
【図１】
2009140180.tif 000003
【図２】
2009140180.tif 000004
【図３】
2009140180.tif 000005
【図４】
2009140180.tif 000006
【図５】
2009140180.tif 000007